(57)【要約】      （修正有）【課題】色収差を良好に補正し且つ高い軸外性能を有する低倍の顕微鏡対物レンズを提供する。【解決手段】対物レンズ１は、顕微鏡対物レンズであって、物体側から順に、正の屈折力を有し、第１接合レンズを含む第１レンズ群Ｇ１と、第１レンズ群Ｇ１と凹面を向かい合わせて配置された、第２レンズ群Ｇ２からなる。第２レンズ群Ｇ２は、物体側から順に、全体として負の屈折力を有する少なくとも１つのレンズ成分ＣＬ２と、第２接合レンズＣＬ３と、正の屈折力を有する単レンズＬ８からなる。対物レンズ１の最も像側のレンズ面において、軸上マージナル光線高さは最大である。ＦＣ２を第２接合レンズのe線に対する焦点距離とし、ＦＳを単レンズのe線に対する焦点距離としたとき、対物レンズ１は、以下の条件式を満たす。-0.38≦ＦＳ／ＦＣ２≦0.38（１）【選択図】図２
2019191267.tif 000002
【特許請求の範囲】
【請求項１】
顕微鏡対物レンズであって、物体側から順に、
正の屈折力を有し、第１接合レンズを含む第１レンズ群と、
前記第１レンズ群と凹面を向かい合わせて配置された、第２レンズ群からなり、
前記第２レンズ群は、前記物体側から順に、
全体として負の屈折力を有する、少なくとも１つのレンズ成分と、
第２接合レンズと、
正の屈折力を有する、単レンズからなり、
前記顕微鏡対物レンズの最も像側のレンズ面において、軸上マージナル光線高さは最大であり、
以下の条件式を満たすことを特徴とする顕微鏡対物レンズ。
-0.38 ≦ ＦＳ／ＦＣ２≦ 0.38         （１）
ただし、ＦＣ２は前記第２接合レンズのe線に対する焦点距離、ＦＳは前記単レンズの前記e線に対する焦点距離である。
【請求項２】
請求項１に記載の顕微鏡対物レンズにおいて、
前記第１接合レンズと前記第２接合レンズの各々は、正レンズと負レンズからなり、
前記第１接合レンズと前記第２接合レンズは、それぞれ、以下の条件式を満たすことを特徴とする顕微鏡対物レンズ。
-0.016 ≦ （θＣｔＬｐ−θｃｔＬｎ）／（νｄＬｐ−νｄＬｎ） ＜ 0     （２）
ただし、θＣｔＬｐは前記正レンズのC線とt線の間の部分分散比、θＣｔＬｎは前記負レンズの前記C線と前記t線の間の部分分散比、νｄＬｐは前記正レンズのアッベ数、νｄＬｎは前記負レンズのアッベ数である。
【請求項３】
請求項２に記載の顕微鏡対物レンズにおいて、
前記第１接合レンズと前記第２接合レンズの少なくとも一方は、以下の条件式を満たすことを特徴とする顕微鏡対物レンズ。
-0.001 ≦ （θｈｇＬｐ−θｈｇＬｎ）／（νｄＬｐ−νｄＬｎ） ＜ 0     （３）
ただし、θｈｇＬｐは前記正レンズのh線とg線の間の部分分散比、θｈｇＬｎは前記負レンズの前記h線と前記g線の間の部分分散比である。
【請求項４】
請求項１乃至請求項３のいずれ１項に記載の顕微鏡対物レンズにおいて、
以下の条件式を満たすことを特徴とする顕微鏡対物レンズ。
-1.25 ≦ ＴＬ／ＦＣ１  ≦ 1.25      （４−１）
-1.25 ≦ ＴＬ／ＦＣ２ ≦ 1.25     （４−２）
ただし、ＦＣ１は前記第１接合レンズの前記e線に対する焦点距離、ＴＬは物体面と前記顕微鏡対物レンズの最も前記像側の前記レンズ面との間の光軸上の距離である。
【請求項５】
請求項１乃至請求項４のいずれ１項に記載の顕微鏡対物レンズにおいて、
前記第１レンズ群は、２枚以上のレンズを含み、
以下の条件式を満たすことを特徴とする顕微鏡対物レンズ。
0 ＜ （Ｌｇａｕｓｓ×ＴＬ）／（Ｌｍａｘ２） ≦ 2.4      （５）
但し、Ｌｇａｕｓｓは前記第１レンズ群の最も前記像側のレンズ面と前記第２レンズ群の最も前記物体側のレンズ面との間の光軸上の距離、ＴＬは物体面と前記顕微鏡対物レンズの最も前記像側の前記レンズ面との間の光軸上の距離、Ｌｍａｘは前記第１レンズ群での最大面間隔である。
【請求項６】
顕微鏡対物レンズであって、
それぞれ正レンズと負レンズからなる、２つ以上の接合レンズを含み、
前記顕微鏡対物レンズの最も像側のレンズ面において、軸上マージナル光線高さは最大であり、
前記２つ以上の前記接合レンズは、それぞれ、以下の条件式を満たすことを特徴とする顕微鏡対物レンズ。
-0.016 ≦ （θＣｔＬｐ−θｃｔＬｎ）／（νｄＬｐ−νｄＬｎ） ＜ 0     （２）
但し、θＣｔＬｐは前記正レンズのC線とt線の間の部分分散比、θＣｔＬｎは前記負レンズの前記C線と前記t線の間の部分分散比、νｄＬｐは前記正レンズのアッベ数、νｄＬｎは前記負レンズのアッベ数である。
【請求項７】
請求項６に記載の顕微鏡対物レンズにおいて、
前記２つ以上の前記接合レンズの少なくとも一方は、以下の条件式を満たすことを特徴とする顕微鏡対物レンズ。
-0.001 ≦ （θｈｇＬｐ−θｈｇＬｎ）／（νｄＬｐ−νｄＬｎ） ＜ 0     （３）
但し、θｈｇＬｐは前記正レンズのh線とg線の間の部分分散比、θｈｇＬｎは前記負レンズの前記h線と前記g線の間の部分分散比である。
【請求項８】
請求項６又は請求項７に記載の顕微鏡対物レンズにおいて、
前記顕微鏡対物レンズは、物体側から順に、
正の屈折力を有し、第１接合レンズを含む第１レンズ群と、
前記第１レンズ群と凹面を向かい合わせて配置された、第２レンズ群からなり、
前記第２レンズ群は、前記物体側から順に、
全体として負の屈折力を有する、少なくとも１つのレンズ成分と、
第２接合レンズと、
正の屈折力を有する、単レンズからなり、
前記２つ以上の前記接合レンズは、前記第１接合レンズと前記第２接合レンズを含み、
以下の条件式を満たすことを特徴とする顕微鏡対物レンズ。
-0.38 ≦ ＦＳ／ＦＣ２≦ 0.38         （１）
但し、ＦＣ２は前記第２接合レンズのe線に対する焦点距離、ＦＳは前記単レンズの前記e線に対する焦点距離である。
【請求項９】
請求項８に記載の顕微鏡対物レンズにおいて、
前記第１レンズ群は、２枚以上のレンズを含み、
以下の条件式を満たすことを特徴とする顕微鏡対物レンズ。
0 ＜ （Ｌｇａｕｓｓ×ＴＬ）／（Ｌｍａｘ２） ≦ 2.4      （５）
但し、Ｌｇａｕｓｓは前記第１レンズ群の最も前記像側のレンズ面と前記第２レンズ群の最も前記物体側のレンズ面との間の光軸上の距離、ＴＬは物体面と前記顕微鏡対物レンズの最も前記像側の前記レンズ面との間の光軸上の距離、Ｌｍａｘは前記第１レンズ群での最大面間隔である。
【請求項１０】
請求項６乃至請求項９のいずれか１項に記載の顕微鏡対物レンズにおいて、
以下の条件式を満たすことを特徴とする顕微鏡対物レンズ。
-1.25 ≦ ＴＬ／ＦＣ ≦ 1.25      （４）
但し、ＦＣは前記２つ以上の前記接合レンズのe線に対する焦点距離、ＴＬは物体面と前記顕微鏡対物レンズの最も前記像側の前記レンズ面との間の光軸上の距離である。
【請求項１１】
顕微鏡対物レンズであって、物体側から順に、
第１レンズ群と、
前記第１レンズ群と凹面を向かい合わせて配置された、第２レンズ群からなり、
前記第１レンズ群は、２枚以上のレンズを含み、
前記顕微鏡対物レンズの最も像側のレンズ面において、軸上マージナル光線高さは最大であり、
以下の条件式を満たすことを特徴とする顕微鏡対物レンズ。
0 ＜ （Ｌｇａｕｓｓ×ＴＬ）／（Ｌｍａｘ２） ≦ 2.4      （５）
但し、Ｌｇａｕｓｓは前記第１レンズ群の最も前記像側のレンズ面と前記第２レンズ群の最も前記物体側のレンズ面との間の光軸上の距離、ＴＬは物体面と前記顕微鏡対物レンズの最も前記像側の前記レンズ面との間の光軸上の距離、Ｌｍａｘは前記第１レンズ群での最大面間隔である。
【請求項１２】
請求項１１に記載の顕微鏡対物レンズにおいて、
前記第１レンズ群は、第１接合レンズを含み、
前記第２レンズ群は、前記物体側から順に、
全体として負の屈折力を有する、少なくとも１つのレンズ成分と、
第２接合レンズと、
正の屈折力を有する、単レンズからなり、
前記顕微鏡対物レンズは、以下の条件式を満たすことを特徴とする顕微鏡対物レンズ。
-0.38 ≦ ＦＳ／ＦＣ２≦ 0.38         （１）
但し、ＦＣ２は前記第２接合レンズのe線に対する焦点距離、ＦＳは前記単レンズの前記e線に対する焦点距離である。
【請求項１３】
請求項１２に記載の顕微鏡対物レンズにおいて、
前記第１接合レンズと前記第２接合レンズの各々は、正レンズと負レンズからなり、
前記第１接合レンズと前記第２接合レンズは、それぞれ、以下の条件式を満たすことを特徴とする顕微鏡対物レンズ。
-0.016 ≦ （θＣｔＬｐ−θｃｔＬｎ）／（νｄＬｐ−νｄＬｎ） ＜ 0     （２）
但し、θＣｔＬｐは前記正レンズのC線とt線の間の部分分散比、θＣｔＬｎは前記負レンズの前記C線と前記t線の間の部分分散比、νｄＬｐは前記正レンズのアッベ数、νｄＬｎは前記負レンズのアッベ数である。
【請求項１４】
請求項１３に記載の顕微鏡対物レンズにおいて、
前記第１接合レンズと前記第２接合レンズの少なくとも一方は、以下の条件式を満たすことを特徴とする顕微鏡対物レンズ。
-0.001 ≦ （θｈｇＬｐ−θｈｇＬｎ）／（νｄＬｐ−νｄＬｎ） ＜ 0     （３）
但し、θｈｇＬｐは前記正レンズのh線とg線の間の部分分散比、θｈｇＬｎは前記負レンズの前記h線と前記g線の間の部分分散比である。
【請求項１５】
請求項１２乃至請求項１４のいずれ１項に記載の顕微鏡対物レンズにおいて、
以下の条件式を満たすことを特徴とする顕微鏡対物レンズ。
-1.25 ≦ ＴＬ／ＦＣ１ ≦ 1.25      （４−１）
-1.25 ≦ ＴＬ／ＦＣ２ ≦ 1.25     （４−２）
但し、ＦＣ１は前記第１接合レンズの前記e線に対する焦点距離である。
【請求項１６】
請求項１乃至請求項１５のいずれ１項に記載の顕微鏡対物レンズにおいて、
前記顕微鏡対物レンズの最も前記物体側のレンズ成分は、接合レンズである
ことを特徴とする顕微鏡対物レンズ。
【発明の詳細な説明】
【技術分野】
【０００１】
本明細書の開示は、顕微鏡対物レンズに関する。
【背景技術】
【０００２】
近年、撮像素子の高画素化が著しく、顕微鏡分野において広視野と高分解能とを両立した観察及び画像取得が可能な顕微鏡装置への期待が高まっている。そして、そのような顕微鏡装置には、高い開口数（以降、ＮＡと記す）を有し、かつ広視野に渡って高い収差性能を実現した対物レンズが求められる。また、生物顕微鏡で使用される場合であれば、対物レンズは４００nm程度の短波長から近赤外波長までの広帯域での励起による蛍光観察にも対応していることが望ましい。さらに、観察時における作業性を考慮すると、対物レンズは乾燥系対物レンズであることが望ましい。
【０００３】
広い視野を確保可能な低倍の対物レンズであって、且つ、比較的広い波長帯域に対応した対物レンズは、例えば、特許文献１、特許文献２に記載されている。
【先行技術文献】
【特許文献】
【０００４】
【特許文献１】特許第４６３３４０５号公報
【特許文献２】特開２０１０−２２４４７７号公報
【発明の概要】
【発明が解決しようとする課題】
【０００５】
しかしながら、上述した特許文献１及び特許文献２に記載された対物レンズは、軸上色収差の補正と、像面湾曲やコマ収差などの軸外収差の補正が十分ではない。このため、広い視野に対して、広い波長域で高い性能を発揮することは困難である。
【０００６】
以上のような実情を踏まえ、本発明の一側面に係る目的は、色収差を良好に補正し且つ高い軸外性能を有する低倍の顕微鏡対物レンズを提供することである。
【課題を解決するための手段】
【０００７】
本発明の一態様に係る顕微鏡対物レンズは、物体側から順に、正の屈折力を有し、第１接合レンズを含む第１レンズ群と、前記第１レンズ群と凹面を向かい合わせて配置された、第２レンズ群からなる。前記第２レンズ群は、前記物体側から順に、全体として負の屈折力を有する、少なくとも１つのレンズ成分と、第２接合レンズと、正の屈折力を有する、単レンズからなる。前記顕微鏡対物レンズの最も像側のレンズ面において、軸上マージナル光線高さは最大である。前記顕微鏡対物レンズは、以下の条件式を満たす。
-0.38 ≦ ＦＳ／ＦＣ２≦ 0.38         （１）
ただし、ＦＣ２は前記第２接合レンズのe線に対する焦点距離、ＦＳは前記単レンズの前記e線に対する焦点距離である。
【０００８】
本発明の別の態様に係る顕微鏡対物レンズは、それぞれ正レンズと負レンズからなる、２つ以上の接合レンズを含む。前記顕微鏡対物レンズの最も像側のレンズ面において、軸上マージナル光線高さは最大である。前記２つ以上の前記接合レンズは、それぞれ、以下の条件式を満たす。
-0.016 ≦ （θＣｔＬｐ−θｃｔＬｎ）／（νｄＬｐ−νｄＬｎ） ＜ 0     （２）
但し、θＣｔＬｐは前記正レンズのC線とt線の間の部分分散比、θＣｔＬｎは前記負レンズの前記C線と前記t線の間の部分分散比、νｄＬｐは前記正レンズのアッベ数、νｄＬｎは前記負レンズのアッベ数である。
【０００９】
本発明の更に別の態様に係る顕微鏡対物レンズは、物体側から順に、第１レンズ群と、前記第１レンズ群と凹面を向かい合わせて配置された、第２レンズ群からなる。前記第１レンズ群は、２枚以上のレンズを含む。前記顕微鏡対物レンズの最も像側のレンズ面において、軸上マージナル光線高さは最大である。前記顕微鏡対物レンズは、以下の条件式を満たす。
0 ＜ （Ｌｇａｕｓｓ×ＴＬ）／（Ｌｍａｘ２） ≦ 2.4      （５）
但し、Ｌｇａｕｓｓは前記第１レンズ群の最も前記像側のレンズ面と前記第２レンズ群の最も前記物体側のレンズ面との間の光軸上の距離、ＴＬは物体面と前記顕微鏡対物レンズの最も前記像側の前記レンズ面との間の光軸上の距離、Ｌｍａｘは前記第１レンズ群での最大面間隔である。
【発明の効果】
【００１０】
上記の態様によれば、色収差を良好に補正し且つ高い軸外性能を有する低倍の顕微鏡対物レンズを提供することができる。
【図面の簡単な説明】
【００１１】
【図１】最大物体高Ｙｒｅｓｏを説明するための図である。
【図２】本発明の実施例１に係る対物レンズ１の断面図である。
【図３】図２に示す対物レンズ１の収差図である。
【図４】本発明の実施例２に係る対物レンズ２の断面図である。
【図５】図４に示す対物レンズ２の収差図である。
【図６】本発明の実施例３に係る対物レンズ３の断面図である。
【図７】図６に示す対物レンズ３の収差図である。
【図８】本発明の実施例４に係る対物レンズ４の断面図である。
【図９】図８に示す対物レンズ４の収差図である。
【発明を実施するための形態】
【００１２】
以下、本願の一実施形態に係る対物レンズについて詳細に説明する。この対物レンズは、結像レンズと組み合わせて使用される無限遠補正型の顕微鏡対物レンズである。この対物レンズは、標本Ｓと対物レンズ１１の間に空気を介在させた状態で標本Ｓを観察するときに用いられる、いわゆる乾燥系対物レンズである。対物レンズは、色収差を良好に補正し且つ高い軸外性能を有する低倍の顕微鏡対物レンズである。
【００１３】
この対物レンズは、物体側から順に、物点からの発散光線束が入射する正の屈折力を有する第１レンズ群と、第１レンズ群と凹面を向かい合わせて配置された第２レンズ群と、からなる。
【００１４】
第１レンズ群と第２レンズ群は、互いに凹面を向かい合わせて配置されている。第１レンズ群と第２のレンズ群の境界は、この特徴によって特定することができる。なお、互いに向かい合った凹面の組みが複数存在する場合には、第１レンズ群と第２のレンズ群の境界は、それら複数の凹面の組みのうち、軸上マージナル光線高さが最も低くなる凹面の組みが、第１レンズ群と第２レンズ群の境界と定義される。
【００１５】
なお、本明細書において、光線束(pencil of light)とは、物体の一点（物点）から出射した光線の束のことである。また、レンズ成分とは、単レンズ、接合レンズを問わず、物点からの光線が通るレンズ面のうち物体側の面と像側の面の２つの面のみが空気（又は浸液）と接する一塊のレンズブロックのことである。
【００１６】
第１レンズ群は、第１接合レンズを含んでいることが望ましい。即ち、第１レンズ群は、２枚以上のレンズを含んでいることが望ましい。第１接合レンズは、例えば、正レンズと負レンズからなる２枚接合レンズである。
【００１７】
第１レンズ群は、物体面から発生した高いテレセントリック性を有する発散光を、軸外の主光線の角度を変えながら、一旦平行光に変換する。その後、第１レンズ群は、第１接合レンズによって軸上色収差を補正しながらその平行光を発散光に変換し、第２レンズ群に入射させる。
【００１８】
なお、対物レンズの最も物体側のレンズ成分、即ち、第１レンズ群の最も物体側のレンズ成分は、接合レンズであってもよい。第１レンズ群の最も物体側のレンズ成分が接合レンズであれば、倍率色収差と軸上色収差を抑制することができるからである。
【００１９】
第２レンズ群は、物体側から順に、全体として負の屈折力を有する少なくとも１つのレンズ成分と、第２接合レンズと、正の屈折力を有する単レンズからなることが望ましい。第２接合レンズは、例えば、正レンズと負レンズからなる２枚接合レンズである。
【００２０】
第２レンズ群は、第１レンズ群から入射した発散光を、軸上色収差、軸外のコマ収差及び非点収差を補正しながら、平行光に変換して出射する。なお、全体として負の屈折力を有する少なくとも１つのレンズ成分は、光線高を上げて開口数を拡大する役割を、第２接合レンズは、軸上色収差を補正する役割を、単レンズは、発散光を平行光に変換する役割を、主に担っている。
【００２１】
以上のように、対物レンズは、各々が正レンズと負レンズからなる、少なくとも２つの接合レンズを含むことによって、１つの接合レンズでは補正し切れない大きな軸上色収差も補正可能な構成となっている。また、対物レンズでは、対物レンズの最も像側のレンズ面、即ち、単レンズの像側のレンズ面において、軸上マージナル光線高さが最大である。これにより、対物レンズ内における光線の屈折角を抑制することができるため、軸上色収差を抑えること、且つ、軸外性能が軸上性能と比べて著しく劣化すること、を防止することが可能な構成となっている。
【００２２】
対物レンズは、条件式（１）を満たすことが望ましい。
-0.38 ≦ ＦＳ／ＦＣ２≦ 0.38         （１）
【００２３】
但し、ＦＣ２は、第２接合レンズのe線に対する焦点距離である。ＦＳは、第２レンズ群に含まれている単レンズのe線に対する焦点距離である。この単レンズは、第２接合レンズの像側に配置された単レンズである。
【００２４】
ＦＳ／ＦＣ２が下限値を下回らないことにより、軸上色収差を良好に補正し、かつ軸外のコマ収差及び非点収差を良好に補正することができる。より詳細には、第２接合レンズが低い負の屈折力を持つことにより、他のレンズにおいて発生する軸上色収差を補正することが可能となる。また、単レンズが高い屈折力を持つことにより、対物レンズ内部において、軸外の光線の角度を、緩やかに変化させて、軸外のコマ収差及び非点収差を良好に補正することが可能となる。また、ＦＳ／ＦＣ２が上限値を上回らないことにより、他のレンズにおいて過剰に補正した軸上色収差を、第２接合レンズが持つ低い正の屈折力によって逆方向に補正することができる。従って、条件式（１）を満たすことにより軸上色収差と軸外収差を良好に補正することができる。
【００２５】
なお、対物レンズは、条件式（１）の代わりに条件式（１−１）を満たしてもよい。条件式（１−１）を満たすことにより軸上色収差と軸外収差を更に良好に補正することができる。
-0.32 ≦ ＦＳ／ＦＣ２ ≦ 0.32         （１−１）
【００２６】
また、対物レンズは、第１の接合レンズと第２の接合レンズの各々が条件式（２）を満たすように構成されることが望ましい。
-0.016 ≦ （θＣｔＬｐ−θｃｔＬｎ）／（νｄＬｐ−νｄＬｎ） ＜ 0     （２）
【００２７】
但し、θＣｔＬｐは、接合レンズに含まれる正レンズのC線とt線の間の部分分散比である。θＣｔＬｎは、接合レンズに含まれる負レンズのC線とt線の間の部分分散比である。νｄＬｐは、接合レンズに含まれる正レンズのアッベ数である。νｄＬｎは、接合レンズに含まれる負レンズのアッベ数である。なお、部分分散比θＣｔＬｐ及び部分分散比θＣｔＬｎは、ｎＣをC線に対する屈折率とし、ｎｔをt線に対する屈折率とし、ｎＦをF線に対する屈折率とすると、（ｎＣ−ｎｔ）／（ｎＦ−ｎＣ）で算出される。
【００２８】
可視域のみの色収差を補正する目的で接合レンズを用いる場合、通常、（θＣｔＬｐ−θｃｔＬｎ）／（νｄＬｐ−νｄＬｎ）は正の値になる。（θＣｔＬｐ−θｃｔＬｎ）／（νｄＬｐ−νｄＬｎ）を敢えて負の値にすることにより、他のレンズにおいて発生する近赤外域の軸上色収差を補正することができる。さらに、（θＣｔＬｐ−θｃｔＬｎ）／（νｄＬｐ−νｄＬｎ）が下限値を下回らないことにより、近赤外域の色収差を過剰に補正しないことができる。これにより、400nm程度の短波長から可視域までの色収差が抑制されるため、結果として、400nm程度の短波長から近赤外波長までの軸上色収差を補正することができる。従って、条件式（２）を満たすことにより軸上色収差を良好に補正することができる。
【００２９】
なお、対物レンズは、条件式（２）の代わりに条件式（２−１）を満たすことが更に望ましい。
-0.007 ≦ （θＣｔＬｐ−θｃｔＬｎ）／（νｄＬｐ−νｄＬｎ） ＜ 0   （２−１）
【００３０】
また、対物レンズは、第１の接合レンズと第２の接合レンズの少なくとも一方が条件式（３）を満たすように構成されることが望ましい。
-0.001 ≦ （θｈｇＬｐ−θｈｇＬｎ）／（νｄＬｐ−νｄＬｎ） ＜ 0     （３）
【００３１】
但し、θｈｇＬｐは、接合レンズに含まれる正レンズのh線とg線の間の部分分散比である。θｈｇＬｎは、接合レンズに含まれる負レンズのh線とg線の間の部分分散比である。なお、部分分散比θｈｇＬｐ及び部分分散比θｈｇＬｎは、ｎｈをh線に対する屈折率とし、ｎｇをg線に対する屈折率とし、ｎＦをF線に対する屈折率とし、ｎＣをC線に対する屈折率とすると、（ｎｈ−ｎｇ）／（ｎＦ−ｎＣ）で算出される。
【００３２】
（θｈｇＬｐ−θｈｇＬｎ）／（νｄＬｐ−νｄＬｎ）を負の値にすることにより、他のレンズにおいて発生する400 nm程度の短波長の軸上色収差を補正することができる。さらに、（θＣｔＬｐ−θｃｔＬｎ）／（νｄＬｐ−νｄＬｎ）が下限値を下回らないことにより、400nm程度の短波長の色収差を過剰に補正することを防ぐことができる。これにより、可視域から近赤外域までの色収差が抑制されるため、結果として、400nm程度の短波長から近赤外波長までの軸上色収差をより良好に補正することができる。従って、条件式（３）を満たすことにより軸上色収差をさらに良好に補正することができる。
【００３３】
なお、対物レンズは、条件式（３）の代わりに条件式（３−１）を満たすことが更に望ましい。
-0.0004 ≦ （θｈｇＬｐ−θｈｇＬｎ）／（νｄＬｐ−νｄＬｎ） ＜ 0   （３−１）
【００３４】
また、対物レンズは、条件式（４）を満たすことが望ましい。即ち、対物レンズは、条件式（４−１）及び条件式（４−２）を満たすことが望ましい。
-1.25 ≦ ＴＬ／ＦＣ ≦ 1.25      （４）
-1.25 ≦ ＴＬ／ＦＣ１ ≦ 1.25      （４−１）
-1.25 ≦ ＴＬ／ＦＣ２ ≦ 1.25     （４−２）
【００３５】
但し、ＴＬは、物体面と対物レンズの最も像側のレンズ面との間の光軸上の距離である。ＦＣは、２つ以上の接合レンズのe線に対する焦点距離である。ＦＣ１は、第１接合レンズのe線に対する焦点距離である。
【００３６】
条件式（４）において、ＴＬ／ＦＣが下限値を下回らないことにより、軸上色収差を良好に補正することができる。これは、接合レンズが低い負の屈折力を持つことにより、他のレンズで発生する軸上色収差を補正することができるからである。また、ＴＬ／ＦＣが上限値を上回らないことで、他のレンズで過剰に補正した軸上色収差を低い正の屈折力を持つ接合レンズにより逆方向に補正することができる。これらの点は、条件式（４−１）及び条件式（４−２）についても同様である。従って、条件式（４）、条件式（４−１）、及び条件式（４−２）を満たすことで、軸上色収差を良好に補正することができる。
【００３７】
また、対物レンズは、条件式（５）を満たすことが望ましい。
0 ＜ （Ｌｇａｕｓｓ×ＴＬ）／（Ｌｍａｘ２） ≦ 2.4      （５）
【００３８】
但し、Ｌｇａｕｓｓは、第１レンズ群の最も像側のレンズ面と第２レンズ群の最も物体側のレンズ面との間の光軸上の距離である。Ｌｍａｘは、第１レンズ群での最大面間隔である。
【００３９】
（Ｌｇａｕｓｓ×ＴＬ）／（Ｌｍａｘ２）が上限値を上回らないことにより、発散光が通過する領域における面間隔が長くなり、軸外の光線の角度が緩やかに変化することになる。また、レンズ厚と空気間隔は必ず正の値を持つため、面間隔も正の値であり、（Ｌｇａｕｓｓ×ＴＬ）／（Ｌｍａｘ２）の下限値は０よりも大きくなる。条件式（５）を満たすことにより、軸外のコマ収差及び非点収差を良好に抑えることができる。
【００４０】
なお、対物レンズは、条件式（５）の代わりに条件式（５−１）を満たすことが望ましい。特に、（Ｌｇａｕｓｓ×ＴＬ）／（Ｌｍａｘ２）を条件式（５−１）の下限値以上とすることにより、軸外の収差だけでなく、色収差も併せて抑制することが可能となる。また、（Ｌｇａｕｓｓ×ＴＬ）／（Ｌｍａｘ２）を上限値以下とすることにより、軸外のコマ収差及び非点収差を更に良好に抑えることができる。
0.8 ≦ （Ｌｇａｕｓｓ×ＴＬ）／（Ｌｍａｘ２） ≦ 2.1      （５−１）
【００４１】
さらに、対物レンズは、条件式（６）を満たしても良い。
0 ≦ |Δｚ１| ／ＤＯＦｅ≦ 2   （６）
【００４２】
但し、Δｚ１は、h線に対するＲＭＳ波面収差が最小となる軸上位置（h線最小位置と記す。）とｅ線（546.07nm）に対するＲＭＳ波面収差が最小となる軸上位置（e線最小位置と記す。）の差である。ＤＯＦｅは、e線に対する焦点深度である。
【００４３】
ここで、軸上位置とは、対物レンズの物体側の領域における軸上位置のことである。また、焦点深度ＤＯＦｅの算出式は、ｅ線の波長をλｅとし、対物レンズの開口数をＮＡｏｂとすると、ＤＯＦe＝λｅ／（２×ＮＡｏｂ２）である。
【００４４】
条件式（６）は、主に、軸上色収差を良好に補正するための条件式である。生物系の顕微鏡光学系ではh線付近の短波長の励起光を用いた蛍光観察が頻繁に行われる。このため、h線とe線の軸上色収差特性は重要である。｜Δｚ１｜／ＤＯＦｅが上限値を上回ると、対物レンズで生じる軸上色収差が大きくなりすぎる。従って、結像レンズで軸上色収差を大幅に補償しなければ、像面で大きな軸上色収差が生じてしまう。しかしながら、結像レンズで大きな軸上色収差の補償を行うことは実際には困難である。また、結像レンズで収差を補償するということは、結像レンズ自体に収差を持たせることを意味する。そのため、結像レンズと組み合わせる対物レンズがそれぞれ異なる収差特性を有する複数の対物レンズの間で切り替えて使用されることを考慮すると、軸上色収差を結像レンズに補償させることは好ましくない。条件式（６）を満たすことで、対物レンズ単体で軸上色収差を良好に補正することができる可能であり、特に、励起光としてh線のような短波長の光が用いられた場合であっても軸上色収差を良好に補正することができる。
【００４５】
なお、対物レンズは、条件式（６）の代わりに条件式（６−１）を満たしてもよい。
0 ≦ |Δｚ１| ／ＤＯＦｅ≦ 1   （６−１）
【００４６】
条件式（６−１）をに示すように、上述した位置の差が焦点深度の１倍以内であれば、対物レンズは、光軸方向に高い分解能を有する顕微鏡装置での使用に特に有効である。例えば、共焦点顕微鏡装置を用いて複数の励起波長を使って画像を取得し、それらの画像を重ね合わせる、マルチカラーイメージングにおいて、色収差による標本の位置ズレを抑制することができる。
【００４７】
また、対物レンズは、条件式（７）を満たしても良い。
10mm ≦ Ｙｒｅｓｏ ×｜β｜≦ ＦＮ mm   （７）
【００４８】
但し、Ｙｒｅｓｏは、e線に対するＲＭＳ波面収差が最小となる軸上位置（e線最小位置）と交わる光軸と直交する平面上の領域であってｅ線に対するＲＭＳ波面収差をe線の波長で割った値が0.2以下となる領域の最大物体高である。βは、対物レンズの倍率である。ＦＮは、対物レンズの最大像高であり、視野数の1/2である。
【００４９】
対物レンズの倍率βは、対物レンズを対物レンズ毎に予め決められた焦点距離を有する結像レンズと組み合わせたときの倍率であり、結像レンズの焦点距離／対物レンズの焦点距離で算出される。結像レンズの予め決められた焦点距離は、例えば、180mmである。対物レンズの最大像高は、(物体高)×（倍率）で計算される。
【００５０】
最大物体高Ｙｒｅｓｏは、図１に示すように、所定の条件を満たす領域１００の最大物体高のことである。なお、図１には、e線最小位置と交わる対物レンズの光軸と直交した断面（以降、e線最小断面と記す。) が示されている。最大物体高Ｙｒｅｓｏは次のようにして求められる。まず、e線最小断面の各点において、（ｅ線に対するＲＭＳ波面収差）／λｅを算出する。次に、e線最小断面のうちの、（ｅ線に対するＲＭＳ波面収差）／λｅ≦0.2を満たす領域１００を特定する。さらに、領域１００のうち光軸ＡＸから最も離れた点Ｐ１を特定する。最後に、その点Ｐ１と光軸ＡＸの間の距離を最大物体高Ｙｒｅｓｏとして算出する。
【００５１】
対物レンズが回転対称である場合、領域１００も回転対称（つまり、円形）となる。このため、領域１００の物体高は方位によらず一定であり、最大物体高Ｙｒｅｓｏはその一定の物体高である。一方、対物レンズに製造誤差が生じた場合には、領域１００は回転非対称となる。その結果、例えば図１に示すように、領域１００の物体高は方位に依存することになる。この場合、最大物体高Ｙｒｅｓｏは、光軸から領域１００の境界までの距離が最も長くなる方位における物体高である。
【００５２】
条件式（７）は、対物レンズを用いた観察で良好な周辺分解能を得るための条件式である。なお、周辺分解能とは、視野の周辺部分における分解能のことをいい、軸外収差が大きく生じると劣化する傾向がある。Ｙｒｅｓｏ ×｜β｜が下限値を下回ると、対物レンズの軸外収差が過度に大きくなるため、結像レンズでの大幅な収差の補償が求められる。しかしながら、結像レンズで大きな軸外収差の補償を行うことは実際には困難である。また、結像レンズで収差を補償するということは、結像レンズ自体に収差を持たせることを意味するため、条件式（６）において上述した理由から好ましくない。一方、Ｙｒｅｓｏ ×｜β｜が上限値を上回ると、一次結像位置において軸外収差が良好な範囲が広くなるが、そこまでの範囲の画像を取得しようとすると、撮像素子やそれを保持するユニットが大型になるため好ましくない。条件式（７）を満たすことで、良好な周辺分解能を達成することができる。
【００５３】
以下、上述した対物レンズの具体例について説明する。
【００５４】
［実施例１］
図２は、本実施例に係る対物レンズ１の断面図である。対物レンズ１は、正の屈折力を有する第１レンズ群Ｇ１と、第１レンズ群Ｇ１よりも像側に配置された、正の屈折力を有する第２レンズ群Ｇ２からなる、乾燥系の顕微鏡用対物レンズである。第１レンズ群Ｇ１と第２レンズ群Ｇ２は、互いに凹面を向けて配置されている。対物レンズ１では、対物レンズ１の最も像側のレンズ面において、軸上マージナル光線高さは最大である。
【００５５】
第１レンズ群Ｇ１は、物体側から順に配置された、両凸レンズＬ１と、接合レンズＣＬ１と、を含んでいる。接合レンズＣＬ１は、対物レンズ１の第１の接合レンズであり、両凸レンズＬ２と両凹レンズＬ３とからなる２枚接合レンズである。
【００５６】
第２レンズ群Ｇ２は、物体側から順に配置された、接合レンズＣＬ２と、接合レンズＣＬ３と、両凸レンズＬ８を含んでいる。接合レンズＣＬ２は、両凹レンズＬ４と両凸レンズＬ５からなる２枚接合レンズである。接合レンズＣＬ３は、対物レンズ１の第２の接合レンズであり、両凹レンズＬ６と両凸レンズＬ７からなる２枚接合レンズである。
【００５７】
対物レンズ１の各種データは、以下のとおりである。なお、Ｆは対物レンズ１のe線に対する焦点距離、ＦＧ１、ＦＧ２は、それぞれ第１レンズ群Ｇ１のe線に対する焦点距離、第２レンズ群Ｇ２のe線に対する焦点距離である。また、｜β｜は対物レンズ１を180mmの焦点距離を有する結像レンズと組み合わせたときの倍率である。同様に、ＦＮは180mmの焦点距離を有する結像レンズと組み合わせたときの最大像高である。また、ＷＤは、対物レンズ１の作動距離である。
【００５８】
Ｆ＝45mm、ＦＧ１＝21.64mm、ＦＧ２＝56.53mm、ＮＡｏｂ＝0.16、｜β｜＝4、ＦＮ＝13.25、ＷＤ＝13.2458mm、ＦＣ１＝-43.11mm、ＦＣ２＝-4506.28mm、ＦＳ＝26.35mm、ＴＬ＝47.5785mm、Ｌｇａｕｓｓ＝2.7456mm、Ｌｍａｘ＝8.0214mm、|Δｚ１|＝3.22μm、ＤＯＦｅ＝10.66μm、Ｙｒｅｓｏ＝3.3125mm
【００５９】
第１の接合レンズの各種データは以下のとおりです。
θＣｔＬｐ＝0.84233、θＣｔＬｎ＝0.86725、θｈｇＬｐ＝0.43844、θｈｇＬｎ＝0.44169、νｄＬｐ＝94.66、νｄＬｎ＝64.14
【００６０】
第２の接合レンズの各種データは以下のとおりです。
θＣｔＬｐ＝0.84233、θＣｔＬｎ＝0.89065、θｈｇＬｐ＝0.43844、θｈｇＬｎ＝0.43453、νｄＬｐ＝94.66、νｄＬｎ＝70.23
【００６１】
対物レンズ１のレンズデータは、以下のとおりである。なお、レンズデータ中のINFは無限大（∞）を示している。
対物レンズ１
s       r           d         ne         nh        νd 
1      INF         0.17      1.52626    1.54042    54.41
2      INF        13.2458         
3     20.4097      3.2684    1.51825    1.52977    64.14
4    -22.1977      8.0214         
5      9.8755      3.0895    1.43986    1.44647    94.66
6    -10.1728      1.7328    1.51825    1.52977    64.14
7      7.3477      2.7456         
8     -5.7177      2.5231    1.75844    1.77954    52.32
9     36.266       2.9771    1.43986    1.44647    94.66
10     -8.5226      0.4709         
11    -20.1257      1.5608    1.48915    1.49898    70.23
12     20.4365      3.8973    1.43986    1.44647    94.66
13    -18.1858      0.3014         
14    185.9612      3.5703    1.49846    1.5072     81.54
15    -14.0427        
【００６２】
ここで、sは面番号を、rは曲率半径(mm)を、dは面間隔(mm)を、neはe線に対する屈折率を、nhはh線に対する屈折率を、νdはアッベ数を示す。これらの記号は、以降の実施例でも同様である。なお、面番号s1,s2が示す面は、それぞれ、物体面（カバーガラスＣＧの物体側の面）、カバーガラスＣＧの像側の面である。面番号s3,s15が示す面は、それぞれ対物レンズ１の最も物体側のレンズ面、最も像側のレンズ面である。また、例えば、面間隔d1は、面番号s1が示す面から面番号s2が示す面までの光軸上の距離を示している。
【００６３】
対物レンズ１は、以下で示されるように、条件式（１）から（７）を満たしている。なお、条件式（３）については、第１接合レンズが満たしている。
（１）    ＦＳ／ＦＣ２＝-0.0058
（２）第１の接合レンズ
（θＣｔＬｐ−θｃｔＬｎ）／（νｄＬｐ−νｄＬｎ）＝-0.00082
第２の接合レンズ
（θＣｔＬｐ−θｃｔＬｎ）／（νｄＬｐ−νｄＬｎ）＝-0.00198
（３）第１の接合レンズ
（θｈｇＬｐ−θｈｇＬｎ）／（νｄＬｐ−νｄＬｎ）＝-0.00011
第２の接合レンズ
（θｈｇＬｐ−θｈｇＬｎ）／（νｄＬｐ−νｄＬｎ）＝0.00016
（４−１）ＴＬ／ＦＣ１  ＝-1.103
（４−２）ＴＬ／ＦＣ２  ＝-0.011
（５）    （Ｌｇａｕｓｓ×ＴＬ）／（Ｌｍａｘ２）＝2.030
（６）    |Δｚ１| ／ＤＯＦｅ＝0.302
（７）    Ｙｒｅｓｏ ×｜β｜＝13.25 mm
【００６４】
図３は、図２に示す対物レンズ１の収差図であり、像側から無限遠光束が入射したときの物体面における収差を示している。図３（ａ）は球面収差図であり、図３（ｂ）は正弦条件違反量を示す図であり、図３（ｃ）は非点収差図であり、図３（ｄ）は物体高比0.6（物体高1.99mm）の位置におけるコマ収差図である。なお、図中の“Ｍ”はメリディオナル成分、“Ｓ”はサジタル成分を示している。図３に示されるように、本実施例では、広い視野に渡って収差が良好に補正されている。
【００６５】
［実施例２］
図４は、本実施例に係る対物レンズ２の断面図である。対物レンズ２は、正の屈折力を有する第１レンズ群Ｇ１と、第１レンズ群Ｇ１よりも像側に配置された、正の屈折力を有する第２レンズ群Ｇ２からなる、乾燥系の顕微鏡用対物レンズである。第１レンズ群Ｇ１と第２レンズ群Ｇ２は、互いに凹面を向けて配置されている。対物レンズ２では、対物レンズ２の最も像側のレンズ面において、軸上マージナル光線高さが最大である。
【００６６】
第１レンズ群Ｇ１は、物体側から順に配置された、物体側に平面を向けた平凸レンズＬ１と、接合レンズＣＬ１と、を含んでいる。接合レンズＣＬ１は、対物レンズ２の第１の接合レンズであり、両凸レンズＬ２と両凹レンズＬ３とからなる２枚接合レンズである。
【００６７】
第２レンズ群Ｇ２は、物体側から順に配置された、接合レンズＣＬ２と、接合レンズＣＬ３と、物体側に凹面を向けたメニスカスレンズＬ８を含んでいる。接合レンズＣＬ２は、両凹レンズＬ４と両凸レンズＬ５からなる２枚接合レンズである。接合レンズＣＬ３は、対物レンズ２の第２の接合レンズであり、両凹レンズＬ６と両凸レンズＬ７からなる２枚接合レンズである。
【００６８】
対物レンズ２の各種データは、以下のとおりである。
Ｆ＝45mm、ＦＧ１＝32.67mm、ＦＧ２＝46.24mm、ＮＡｏｂ＝0.16、｜β｜＝4、ＦＮ＝13.25、ＷＤ＝13.8354mm、ＦＣ１＝-40.59mm、ＦＣ２＝138.31mm、ＦＳ＝29.29mm、ＴＬ＝47.5753mm、Ｌｇａｕｓｓ＝1.8251mm、Ｌｍａｘ＝9.5453mm、|Δｚ１|＝16.69μm、ＤＯＦｅ＝10.66μm、Ｙｒｅｓｏ＝3.3125mm
【００６９】
第１の接合レンズの各種データは以下のとおりです。
θＣｔＬｐ＝0.82759、θＣｔＬｎ＝0.83267、θｈｇＬｐ＝0.44171、θｈｇＬｎ＝0.45179、νｄＬｐ＝81.54、νｄＬｎ＝55.53
【００７０】
第２の接合レンズの各種データは以下のとおりです。
θＣｔＬｐ＝0.81944、θＣｔＬｎ＝0.89065、θｈｇＬｐ＝0.44583、θｈｇＬｎ＝0.43453、νｄＬｐ＝74.7、νｄＬｎ＝70.23
【００７１】
対物レンズ２のレンズデータは、以下のとおりである。
対物レンズ２
s       r           d         ne         nh        νd 
1      INF         0.17      1.52626    1.54042    54.41
2      INF        13.8354         
3      INF         3.6835    1.50738    1.51966    59.67
4    -13.5456      9.5453         
5     10.4868      3.2518    1.49846    1.5072     81.54
6    -23.1155      1.3352    1.69979    1.71801    55.53
7      9.4125      1.8251         
8     -5.7921      2.5618    1.65141    1.66954    53.02
9     20.7121      2.643     1.43985    1.44645    94.93
10     -8.8717      0.8301         
11    -23.0739      1.2008    1.48915    1.49898    70.23
12     23.1614      3.5088    1.53947    1.54984    74.7
13    -21.792       0.2014         
14   -200.8748      2.9823    1.49846    1.5072     81.54
15    -13.6097            
【００７２】
対物レンズ２は、以下で示されるように、条件式（１）から（７）を満たしている。なお、条件式（３）については、第１接合レンズが満たしている。
（１）    ＦＳ／ＦＣ２＝0.212
（２）第１の接合レンズ
（θＣｔＬｐ−θｃｔＬｎ）／（νｄＬｐ−νｄＬｎ）＝-0.00020,
第２の接合レンズ
（θＣｔＬｐ−θｃｔＬｎ）／（νｄＬｐ−νｄＬｎ）＝-0.01593
（３）第１の接合レンズ
（θｈｇＬｐ−θｈｇＬｎ）／（νｄＬｐ−νｄＬｎ）＝-0.00039
第２の接合レンズ
（θｈｇＬｐ−θｈｇＬｎ）／（νｄＬｐ−νｄＬｎ）＝0.00253
（４−１）ＴＬ／ＦＣ１  ＝-1.17
（４−２）ＴＬ／ＦＣ２  ＝0.34
（５）    （Ｌｇａｕｓｓ×ＴＬ）／（Ｌｍａｘ２）＝0.95
（６）    |Δｚ１| ／ＤＯＦｅ＝1.566
（７）    Ｙｒｅｓｏ ×｜β｜＝13.25 mm
【００７３】
図５は、図４に示す対物レンズ２の収差図であり、像側から無限遠光束が入射したときの物体面における収差を示している。図５（ａ）は球面収差図であり、図５（ｂ）は正弦条件違反量を示す図であり、図５（ｃ）は非点収差図であり、図５（ｄ）は物体高比0.6（物体高1.99mm）の位置におけるコマ収差図である。図５に示されるように、本実施例では、広い視野に渡って収差が良好に補正されている。
【００７４】
［実施例３］
図６は、本実施例に係る対物レンズ３の断面図である。対物レンズ３は、正の屈折力を有する第１レンズ群Ｇ１と、第１レンズ群Ｇ１よりも像側に配置された、正の屈折力を有する第２レンズ群Ｇ２からなる、乾燥系の顕微鏡用対物レンズである。第１レンズ群Ｇ１と第２レンズ群Ｇ２は、互いに凹面を向けて配置されている。対物レンズ３では、対物レンズ３の最も像側のレンズ面において、軸上マージナル光線高さは最大である。
【００７５】
第１レンズ群Ｇ１は、物体側から順に配置された、両凸レンズＬ１と、接合レンズＣＬ１と、を含んでいる。接合レンズＣＬ１は、対物レンズ３の第１の接合レンズであり、両凸レンズＬ２と両凹レンズＬ３とからなる２枚接合レンズである。
【００７６】
第２レンズ群Ｇ２は、物体側から順に配置された、接合レンズＣＬ２と、接合レンズＣＬ３と、両凸レンズＬ８を含んでいる。接合レンズＣＬ２は、両凹レンズＬ４と両凸レンズＬ５からなる２枚接合レンズである。接合レンズＣＬ３は、対物レンズ３の第２の接合レンズであり、両凹レンズＬ６と両凸レンズＬ７からなる２枚接合レンズである。
【００７７】
対物レンズ３の各種データは、以下のとおりである。
Ｆ＝45mm、ＦＧ１＝22.06mm、ＦＧ２＝37.92mm、ＮＡｏｂ＝0.16、｜β｜＝4、ＦＮ＝13.25、ＷＤ＝13.3561mm、ＦＣ１＝-26.87mm、ＦＣ２＝89.69mm、ＦＳ＝27.96mm、ＴＬ＝49.2256mm、Ｌｇａｕｓｓ＝3.2849 mm、Ｌｍａｘ＝13.47mm、|Δｚ１|＝20.03μm、ＤＯＦｅ＝10.66μm、Ｙｒｅｓｏ＝3.3125mm
【００７８】
第１の接合レンズの各種データは以下のとおりです。
θＣｔＬｐ＝0.82759、θＣｔＬｎ＝0.83267、θｈｇＬｐ＝0.44171、θｈｇＬｎ＝0.45179、νｄＬｐ＝81.54、νｄＬｎ＝55.53
【００７９】
第２の接合レンズの各種データは以下のとおりです。
θＣｔＬｐ＝0.84233、θＣｔＬｎ＝0.86854、θｈｇＬｐ＝0.43844、θｈｇＬｎ＝0.42541、νｄＬｐ＝94.66、νｄＬｎ＝71.8
【００８０】
対物レンズ３のレンズデータは、以下のとおりである。
s       r           d         ne         nh        νd 
1      INF         0.17      1.52626    1.54042    54.41
2      INF        13.3561         
3     49.7449      2.4515    1.51825    1.52977    64.14
4    -14.9766      1         
5     19.2275     13.47      1.49846    1.5072     81.54
6     -7.9967      1.261     1.69979    1.71801    55.53
7     12.166       3.2849         
8     -5.9627      2.4838    1.77621    1.79917    49.6
9    525.6645      2.5754    1.43986    1.44647    94.66
10     -8.7004      0.2         
11    -26.1604      1         1.48769    1.49719    71.8
12     18.625       2.7047    1.43986    1.44647    94.66
13    -14.2892      2.7071         
14    298.0967      2.561     1.49846    1.5072     81.54
15    -14.5782     
【００８１】
対物レンズ３は、以下で示されるように、条件式（１）から（４−１）、（５）から（７）を満たしている。ただし、条件式（４−２）を満たさない。なお、条件式（３）については、第１接合レンズが満たしている。
（１）    ＦＳ／ＦＣ２＝0.312
（２）第１の接合レンズ
（θＣｔＬｐ−θｃｔＬｎ）／（νｄＬｐ−νｄＬｎ）＝-0.00020
第２の接合レンズ
（θＣｔＬｐ−θｃｔＬｎ）／（νｄＬｐ−νｄＬｎ）＝-0.00115
（３）第１の接合レンズ
（θｈｇＬｐ−θｈｇＬｎ）／（νｄＬｐ−νｄＬｎ）＝-0.00039
第２の接合レンズ
（θｈｇＬｐ−θｈｇＬｎ）／（νｄＬｐ−νｄＬｎ）＝0.00057
（４−１）ＴＬ／ＦＣ１  ＝-1.83
（４−２）ＴＬ／ＦＣ２  ＝0.55
（５）    （Ｌｇａｕｓｓ×ＴＬ）／（Ｌｍａｘ２）＝0.89
（６）    |Δｚ１| ／ＤＯＦｅ＝1.879
（７）    Ｙｒｅｓｏ ×｜β｜＝13.25mm
【００８２】
図７は、図６に示す対物レンズ３の収差図であり、像側から無限遠光束が入射したときの物体面における収差を示している。図７（ａ）は球面収差図であり、図７（ｂ）は正弦条件違反量を示す図であり、図７（ｃ）は非点収差図であり、図７（ｄ）は物体高比0.6（物体高1.99mm）の位置におけるコマ収差図である。図７に示されるように、本実施例では、広い視野に渡って収差が良好に補正されている。
【００８３】
［実施例４］
図８は、本実施例に係る対物レンズ４の断面図である。対物レンズ４は、正の屈折力を有する第１レンズ群Ｇ１と、第１レンズ群Ｇ１よりも像側に配置された、正の屈折力を有する第２レンズ群Ｇ２からなる、乾燥系の顕微鏡用対物レンズである。第１レンズ群Ｇ１と第２レンズ群Ｇ２は、互いに凹面を向けて配置されている。対物レンズ４では、対物レンズ４の最も像側のレンズ面において、軸上マージナル光線高さは最大である。
【００８４】
第１レンズ群Ｇ１は、物体側から順に配置された、接合レンズＣＬ１と、接合レンズＣＬ２と、を含んでいる。接合レンズＣＬ１は、像側に凹面を向けたメニスカスレンズＬ１と両凸レンズＬ２からなる２枚接合レンズである。接合レンズＣＬ２は、対物レンズ４の第１の接合レンズであり、両凸レンズＬ３と両凹レンズＬ４とからなる２枚接合レンズである。
【００８５】
第２レンズ群Ｇ２は、物体側から順に配置された、接合レンズＣＬ３と、接合レンズＣＬ４と、接合レンズＣＬ５と、物体側に凹面を向けたメニスカスレンズＬ１１を含んでいる。接合レンズＣＬ３は、両凹レンズＬ５と両凸レンズＬ６からなる２枚接合レンズである。接合レンズＣＬ４は、両凹レンズＬ７と両凸レンズＬ８からなる２枚接合レンズである。接合レンズＣＬ５は、対物レンズ４の第２の接合レンズであり、両凹レンズＬ９と両凸レンズＬ１０からなる２枚接合レンズである。
【００８６】
対物レンズ４の各種データは、以下のとおりである。
Ｆ＝45mm、ＦＧ１＝20.30mm、ＦＧ２＝50.40mm、ＮＡｏｂ＝0.24、｜β｜＝4、ＦＮ＝13.25、ＷＤ＝10.9640mm、ＦＣ１＝-33.29mm、ＦＣ２＝-2356.62mm、ＦＳ＝49.19mm、ＴＬ＝49.1886mm、Ｌｇａｕｓｓ＝4.075mm、Ｌｍａｘ＝5.4593mm、|Δｚ１|＝3.58μm、ＤＯＦｅ＝4.74μm、Ｙｒｅｓｏ＝3.0475mm
【００８７】
第１の接合レンズの各種データは以下のとおりです。
θＣｔＬｐ＝0.84233、θＣｔＬｎ＝0.86725、θｈｇＬｐ＝0.43844、θｈｇＬｎ＝0.44169、νｄＬｐ＝94.66、νｄＬｎ＝64.14
【００８８】
第２の接合レンズの各種データは以下のとおりです。
θＣｔＬｐ＝0.84233、θＣｔＬｎ＝0.86725、θｈｇＬｐ＝0.43844、θｈｇＬｎ＝0.44169、νｄＬｐ＝94.66、νｄＬｎ＝64.14
【００８９】
対物レンズ４のレンズデータは、以下のとおりである。
対物レンズ４
s       r           d         ne         nh        νd 
1      INF        0.17       1.52626    1.54042    54.41
2      INF       10.964         
3     21.7946     1          1.88815    1.92092    40.76
4     24.9359     2.6598     1.51825    1.52977    64.14
5    -17.9676     4.1897         
6     11.5699     5.4593     1.43986    1.44647    94.66
7     -7.6703     0.5        1.51825    1.52977    64.14
8      7.3946     4.0752         
9     -6.2208     2.8398     1.75844    1.77954    52.32
10    133.0254     3.4328     1.43986    1.44647    94.66
11     -9.8529     0.5         
12   -114.7877     1.0902     1.48915    1.49898    70.23
13     48.9812     3.4385     1.43986    1.44647    94.66
14    -19.3353     0.4         
15    -28.6539     0.7        1.51825    1.52977    64.14
16     85.3746     3.4662     1.43986    1.44647    94.66
17    -24.9437     0.3         
18    -76.6386     4.0031     1.49846    1.5072     81.54
19    -17.2175    
【００９０】
対物レンズ４は、以下で示されるように、条件式（１）から（３）、（４−２）、（６）及び（７）を満たしている。ただし、条件式（４−１）、及び（５）を満たさない。なお、条件式（３）については、第１接合レンズが満たしている。
（１）    ＦＳ／ＦＣ２＝-0.020
（２）第１の接合レンズ
（θＣｔＬｐ−θｃｔＬｎ）／（νｄＬｐ−νｄＬｎ）＝-0.00082
第２の接合レンズ
（θＣｔＬｐ−θｃｔＬｎ）／（νｄＬｐ−νｄＬｎ）＝-0.00082
（３）第１の接合レンズ
（θｈｇＬｐ−θｈｇＬｎ）／（νｄＬｐ−νｄＬｎ）＝-0.00011
第２の接合レンズ
（θｈｇＬｐ−θｈｇＬｎ）／（νｄＬｐ−νｄＬｎ）＝-0.00011
（４−１）ＴＬ／ＦＣ１  ＝-1.48
（４−２）ＴＬ／ＦＣ２  ＝-0.02
（５）    （Ｌｇａｕｓｓ×ＴＬ）／（Ｌｍａｘ２）＝6.73
（６）    |Δｚ１| ／ＤＯＦｅ＝0.755
（７）    Ｙｒｅｓｏ ×｜β｜＝12.19 mm
【００９１】
図９は、図８に示す対物レンズ４の収差図であり、像側から無限遠光束が入射したときの物体面における収差を示している。図９（ａ）は球面収差図であり、図９（ｂ）は正弦条件違反量を示す図であり、図９（ｃ）は非点収差図であり、図９（ｄ）は物体高比0.6（物体高1.99mm）の位置におけるコマ収差図である。図９に示されるように、本実施例では、広い視野に渡って収差が良好に補正されている。
【符号の説明】
【００９２】
１、２、３、４・・・対物レンズ、１００・・・領域、ＡＸ・・・光軸、ＣＬ１、ＣＬ２、ＣＬ３、ＣＬ４、ＣＬ５・・・接合レンズ、Ｇ１・・・第１レンズ群、Ｇ２・・・第２レンズ群、Ｌ１、Ｌ２、Ｌ３、Ｌ４、Ｌ５、Ｌ６、Ｌ７、Ｌ８、Ｌ９、Ｌ１０、Ｌ１１・・・レンズ、Ｐ１・・・点
【図１】
2019191267.tif 000003
【図２】
2019191267.tif 000004
【図３】
2019191267.tif 000005
【図４】
2019191267.tif 000006
【図５】
2019191267.tif 000007
【図６】
2019191267.tif 000008
【図７】
2019191267.tif 000009
【図８】
2019191267.tif 000010
【図９】
2019191267.tif 000011